(57)【要約】【課題】  置物として有用なばかりか、コインを投入するたびに前足部が揺動し、貯金が福を招く雰囲気を漂わせる招き猫の貯金箱を提供する。【解決手段】  内部が空洞Ｏになるように本体シェル１０が形成され、且つその肩部１１の上面側に空洞へ通じる通孔１２が設けられ、さらに該本体シェルの正面部位に該空洞へ通じるコインの投入口１３が設けられてなる猫本体部１と、前記通孔近くの猫本体部１に形成される軸受２と、該軸受に軸部３０の両端部分が回動自在に支持されて、静止状態下で前記通孔から前足部３２が真っ直ぐ又は前傾姿勢で上方に挙がる一方、基部３３が本体シェル１０の空洞内を延び、該基部の基端部分３３ａが投入口１３に対向する位置に配されてなる前足部材３とを具備し、コイン５の投入口１３への投入により該コインが前足部材の基端部分３３ａに当接、押圧して猫本体部１内に収容されると共に、該押圧で前足部材３が軸部３０を支点に揺動する。【選択図】  図２
0003117375.tif 000002
【実用新案登録請求の範囲】
【請求項１】
内部が空洞になるように所定厚みで本体シェルが形成され、且つその肩部の上面側に前記空洞へ通じる通孔が設けられ、さらに該本体シェルの正面部位に該空洞へ通じるコインの投入口が設けられてなる猫本体部（１）と、
前記通孔近くの猫本体部に形成される軸受（２）と、
該軸受に軸部の両端部分が回動自在に支持されて、静止状態下で、前記通孔から前足部が真っ直ぐ又は前傾姿勢で上方に挙がる一方、基部が本体シェルの空洞内を延び、該基部の基端部分が前記コインの投入口に対向する位置に配されてなる前足部材（３）と、を具備し、
コインの前記投入口への投入により、該コインが前記前足部材の基端部分に当接、押圧して猫本体部内に収容されると共に、該押圧で前足部材が軸部を支点に揺動することを特徴とする招き猫の貯金箱。
【考案の詳細な説明】
【技術分野】
【０００１】
本考案は縁起物の置物として飾ることができるだけでなく、コインを投入するたびに手招きする招き猫の貯金箱に関する。
【背景技術】
【０００２】
招き猫は片方の前足(右前足或いは左前足)を上方に挙げて招く猫の姿態像で、顧客,財宝等を招く縁起物として飾られてきた。ただ、挙げた前足部は固定されままで、人を引きつける魅力に乏しいことから前足部が揺動する招き猫の発明技術が提案されている(例えば特許文献１)。
【０００３】
【特許文献１】特開平１１−２８５５８７号公報
【考案の開示】
【考案が解決しようとする課題】
【０００４】
しかるに、特許文献１の招き猫は、前足部の上端を手前に引くとコイルばね等のねじり力が蓄えられて、その復元力により該前足部が揺動するものであった。
前足部に直接、手などの外力を加えないと、前足部が揺動しないものであった。前足部に手で直接触れて動かすのは、原始的でその興味を持続させづらかった。
【０００５】
本考案は上記問題点を解決するもので、置物として有用なばかりか、手で直接触れなくても、コインを投入するたびに前足部が揺動し、貯金をすれば手招きする格好になって、貯金が福を招くといった雰囲気を漂わせる趣きある招き猫の貯金箱を提供することを目的とする。
【課題を解決するための手段】
【０００６】
上記目的を達成すべく、請求項１に記載の考案の要旨は、内部が空洞になるように所定厚みで本体シェルが形成され、且つその肩部の上面側に前記空洞へ通じる通孔が設けられ、さらに該本体シェルの正面部位に該空洞へ通じるコインの投入口が設けられてなる猫本体部（１）と、前記通孔近くの猫本体部に形成される軸受（２）と、該軸受に軸部の両端部分が回動自在に支持されて、静止状態下で、前記通孔から前足部が真っ直ぐ又は前傾姿勢で上方に挙がる一方、基部が本体シェルの空洞内を延び、該基部の基端部分が前記コインの投入口に対向する位置に配されてなる前足部材（３）と、を具備し、コインの前記投入口への投入により、該コインが前記前足部材の基端部分に当接、押圧して猫本体部内に収容されると共に、該押圧で前足部材が軸部を支点に揺動することを特徴とする招き猫の貯金箱にある。
【考案の効果】
【０００７】
本考案の招き猫の貯金箱は、特段の動力源を必要とせず、単純構成ながらコインを投入するたびに前足部が前後に揺動し愛嬌のある手招きする格好になって、貯金が福を招くといった趣きある雰囲気を醸し出し、貯金の楽しさを演出するなど優れた効果を発揮する。
【考案を実施するための最良の形態】
【０００８】
以下、本考案に係る招き猫の貯金箱(以下、単に「招き猫」という。)について詳述する。図１〜図６は本考案の招き猫の一形態で、図１はその正面図、図２は図１の左側面図、図３は底面図、図４は前足部材と投入口との位置関係を示す要部縦断面図、図５は軸受,前足部周りの縦断面図、図６は底部と蓋体との位置関係を示す説明図で、(イ)が蓋体を底孔に嵌合した状態の縦断面図、(ロ)がその底面図である。
【０００９】
招き猫は猫本体部１と軸受２と前足部材３と蓋体４とを具備する。
猫本体部１は内部が空洞Ｏになるように所定厚みで本体シェル１０が形成され、且つその肩部１１の上面側に前記空洞Ｏへ通じる通孔１２が設けられ、さらに該本体シェル１０の正面部位１ａに該空洞Ｏへ通じるコイン５の投入口１３が設けられた招き猫の本体主要部である。招き猫の格好をした合成樹脂製又は陶磁器製の本体シェル１０が形成され、前記コイン投入口１３は猫本体部１の正面で鈴の形をあしらった箇所に設けている。
【００１０】
猫本体部１が陶磁器製の場合(本実施形態)は例えば次のようにして造る。猫本体部１のキャビティを形成した石膏型内に泥漿(スラリ)を流し込み、所定時間経過後、逆さにして余剰の泥漿を排出し、さらに所定時間を経た後に石膏型を分割して脱型し、該猫本体部１の成形品を造る。猫本体部１が合成樹脂製の場合は例えば熱可塑製樹脂を用いてブロー成形等で造ることとなる。
符号１５は招き猫の頭部、符号１６は胴部、符号１７は左右の後足、符号１８は左前足、符号１９は招金小判を表現している。これらは一体化され固定状態にある。
【００１１】
該猫本体部１は内部ががらんどうで、底部１４に十円玉や百円玉のコイン５の大きさよりも若干大きめの底孔１４ａが形成され、本体シェル１０の正面部位１ａに設けた前記投入口１３から空洞Ｏ内に投入されたコイン５は該底孔１４ａから取り出すことができる。猫本体部１の肩部１１(ここでは右肩部１１)には空洞Ｏに通じる前足部材３の基部３３及び中央膨らみ部３１が貫通する大きさの通孔１２が形成される。
【００１２】
軸受２は前足部材３の軸部３０を受け支えるもので、前記通孔１２近くの猫本体部１に形成される。軸受２は通孔１２から猫本体部１の胴部１６側に若干入った本体シェル１０の内壁に設けられる。ここでの軸受２は内側の一方が凹所からなる軸穴２０で、外側の他方が透孔からなる軸孔２１とする(図５)。
【００１３】
前足部材３は前記軸部３０と中央膨らみ部３１と右前足の形をした前足部３２と基部３３とを備える。中央膨らみ部３１を中央にして上方へ前足部３２が延び、下方へ基部３３が延びる。そして、中央膨らみ部３１の両側に突出する軸材からなる軸部３０が前記軸受２に支持されて、該前足部材３が猫本体部１に回動自在に取付けられる。前足部材３は軸受２に軸部３０の両端部分３０ａが回動自在に支持され、さらに静止状態下で、前記通孔１２から前足部３２が真っ直ぐ又は前傾姿勢で上方に挙がる一方、基部３３が本体シェル１０の空洞Ｏ内を延び、該基部３３の基端部分３３ａが前記コイン５の投入口１３に対向する位置に配される。
【００１４】
本実施形態の前足部材３は陶磁器製品で、図４,図５のごとく静止状態下で前足部３２が通孔１２から真っ直ぐ上方に挙がるように、且つ投入口１３からコイン５を入れて前足部材３を動かしたとき、前足部材３が揺動を数回繰り返して前足部３２が手招きの格好をするように重量バランスをとっている。静止状態下で、通孔１２から前足部３２が真っ直ぐ又は前傾姿勢で上方に挙がるよう、前足部材３の基部３３に比重が大の金属製重量物６等を適宜埋設して重量バランスを調整する。前足部３２の付け根にあたる中央膨らみ部３１が通孔１２を潜って猫本体部１の空洞Ｏ内に入るが、その中央膨らみ部３１の左右壁面から軸部３０が突出してその両端部分３０ａが軸受２に回動自在に支持される。そして、該中央膨らみ部３１分の下部から基部３３が図４,図５のごとく空洞Ｏ内を下方に向かった後、猫本体部１の体中心部に向かって延び、さらにその基端部分３３ａが投入口１３の近くで該投入口１３に対向する位置に配設される。
【００１５】
蓋体４は前記底孔１４ａに蓋をすることのできる陶磁器製の覆い蓋である。ここでの蓋体４は、平面視楕円形した蓋本体４０の周縁部に平らな平坦部分４ａを残して隆起部４１を形成し、該周縁部が底孔１４ａの内周縁に載る形にして、隆起部４１が図６(イ)のごとく嵌合し、底孔１４ａに蓋をする構成とする。投入口１３から投入されて空洞Ｏ内に溜まったコイン５は、該蓋体４を底孔１４ａから外して猫本体部１から取り出すことができる。符号４１ａはつまみ部分で、蓋体４を摘み易くしている。
【００１６】
このように構成した招き猫は、図４のごとく投入口１３からコイン５を投入すると、前足部材３の基端部分３３ａが前記コイン５の投入口１３の近くで該投入口１３に対向する位置に配されているので、投入口１３から猫本体部１内にコイン５が投入される過程で該コイン５が前足部材３の基端部分３３ａに当接、押圧する。この押圧で前足部材３の基端部分３３ａが軸部３０を支点に後退して、コイン５が空洞Ｏ内に受け入れられる。そして、該前足部材３は重量バランスをとって軸受２に支持されているので、軸部３０を支点に後退した前足部材３の基端部分３３ａは反動で前進し、さらに前足部材３は重量バランスがとられているため、斯かる動作を繰り返して前足部３２が手招きするよう揺動する。直接、手で前足部材３を触れずとも、お金(コイン５)を入れるたびに手招きし、お金を招く文字通りの招き猫になる。本招き猫は特段の動力源なしで、簡単な構造ながら貯蓄意欲を高める招き猫の貯金箱になり、優れた効果を発揮する。すなわち、縁起物の置物として役立つばかりでなく、貯金のたびに手招きの動きを見せ、貯金が福を招き寄せるといった味わいのある招き猫になっており、多大な効を奏する。
【００１７】
尚、本考案においては、前記実施形態,実施例に示すものに限られず、目的,用途に応じて本考案の範囲で種々変更できる。猫本体部１,軸受２,前足部材３,蓋体４等の形状,大きさ等は用途等に合わせて適宜選択できる。
【図面の簡単な説明】
【００１８】
【図１】本考案の招き猫の一形態で、その正面図である。
【図２】図１の左側面図である。
【図３】図１の底面図である。
【図４】前足部材と投入口との位置関係を示す要部縦断面図である。
【図５】組軸受,前足部周りの縦断面図である。
【図６】底部と蓋体との位置関係を示す説明図で、(イ)が蓋体が底孔１４ａに嵌合した状態の縦断面図、(ロ)がその底面図である。
【符号の説明】
【００１９】
１            猫本体部
１ａ          正面部位
１０          本体シェル
１１          肩部
１２          通孔
１３          投入口（コインの投入口）
２            軸受
３            前足部材
３０          軸部
３０ａ        基端部分
３２          前足部
３３          基部
３３ａ        基端部分
Ｏ            空洞
【図１】
0003117375.tif 000003
【図２】
0003117375.tif 000004
【図３】
0003117375.tif 000005
【図４】
0003117375.tif 000006
【図５】
0003117375.tif 000007
【図６】
0003117375.tif 000008